【手続補正書】
【提出日】平成18年6月22日(2006.6.22)
【手続補正１】
【補正対象書類名】特許請求の範囲
【補正対象項目名】全文
【補正方法】変更
【補正の内容】
【特許請求の範囲】
【請求項１】
シートの搬送路を挟み、互いに逆方向に回転し、前記シートの搬送方向に対して直交する方向に軸方向を配した一対の回転軸１７、１８と、
前記一対の回転軸のうち上方位置の回転軸の軸方向に、所定の間隔を保持して配した複数個の第１回転刃２１と、
下方位置の回転軸の軸方向に、前記各第１回転刃２１との周縁同士が互いに摺り合ってスリッター裁断部を構成するように配された複数個の第２回転刃２４と、
を備え、
少なくとも１個の前記第１回転刃２１の両側面に、１対の前記第２回転刃２４、２４を配し、
前記一対の第２回転刃２４、２４間に、シートの搬送元から搬送先地点にかけては前記第２回転刃の周縁よりも回転軸側に位置し、前記搬送先地点からは前記第２回転刃の回転方向から徐々に下方に向かうように傾斜するガイド面を有するガイド部材２７を設け、
前記一対の第２回転刃２４、２４間に挟まれた切りくず３９を同第２回転刃２４、２４から引き剥がして外部に排出するように構成したことを特徴とするカード裁断装置。
【請求項２】
前記ガイド部材２７が、前記一対の第２回転刃２４、２４間の前記回転軸を貫通する貫通孔３０ｂが形成された板状体３０からなることを特徴とする請求項１記載のカード裁断装置。
【手続補正２】
【補正対象書類名】明細書
【補正対象項目名】０００９
【補正方法】変更
【補正の内容】
【０００９】
しかし、切れくず落し片４５の尖った先端で、二個のデイスク状下刃４４間に挟まった切りくず４６の湾曲した内側の全長にわたって筋付けを行い、山型４７状に屈折させ幅狭にするためには、切れくず落し片４５を極めて精密に位置決めして装置を組立てる必要がある。
即ち、切れくず落とし片が下刃４４の軸に向けて突出し過ぎる場合は、下刃４４の間に挟まった切りくずを軸側に押し込むことになるし、切れくず落とし片の先端が下刃４４の周縁部にとどかない場合は筋付けされず、幅狭にして落下させることもできない。したがって、かかる事態が生じないように、切りくず落とし片の長さや尖らせ具合等を正確に設計しなければならないし、先端が最適な位置にくるように取付け位置を正確に設定しなければならない。
【手続補正３】
【補正対象書類名】明細書
【補正対象項目名】００１２
【補正方法】変更
【補正の内容】
【００１２】
本願発明の課題は本件請求項１〜２に記載された各発明により達成することができる。
即ち、本願発明では、シートの搬送路を挟み、互いに逆方向に回転し、前記シートの搬送方向に対して直交する方向に軸方向を配した一対の回転軸と、前記一対の回転軸のうち上方位置の回転軸の軸方向に、所定の間隔を保持して配した複数個の第１回転刃と、下方位置の回転軸の軸方向に、前記各第１回転刃との周縁同士が互いに摺り合って裁断部を構成するように配された複数個の第２回転刃と、を備え、少なくとも１個の前記第１回転刃の両側面に、１対の前記第２回転刃を配し、前記一対の第２回転刃間に、シートの搬送元から搬送先地点にかけては前記第２回転刃の周縁よりも回転軸側に位置し、前記搬送先地点からは前記第２回転刃の回転方向から徐々に下方に向かうように傾斜するガイド面を有するガイド部材を設け、前記一対の第２回転刃間に挟まれた切りくずを同第２回転刃から引き剥がして外部に排出するように構成したことを最も主要な特徴となしている。
【手続補正４】
【補正対象書類名】明細書
【補正対象項目名】００１３
【補正方法】削除
【補正の内容】
【手続補正５】
【補正対象書類名】明細書
【補正対象項目名】００１４
【補正方法】変更
【補正の内容】
【００１４】
更に、前記ガイド部材が、前記一対の第２回転刃間の前記回転軸を貫通する貫通孔が形成された板状体からなることを主要な特徴となしている。
【手続補正６】
【補正対象書類名】明細書
【補正対象項目名】００１７
【補正方法】変更
【補正の内容】
【００１７】
また、ガイド部材が、搬送先地点から第２回転刃の回転方向に向けて斜め下方に傾斜するガイド面を備えることにより、一対の第２回転刃間に挟まれた切りくずを斜め下方に傾斜するガイド面に沿って、円滑にしかも確実に切りくずを第２回転刃から引き剥がして外部に排出することができる。
【手続補正７】
【補正対象書類名】明細書
【補正対象項目名】００１８
【補正方法】変更
【補正の内容】
【００１８】
ガイド部材としては、一対の第２回転刃間に挿入できる部材であればこれらの部材をガイド部材として使用することができるものであるが、第２回転刃の回転軸の回りを迂回するように配置された略C字状に湾曲した棒状体や一対の第２回転刃間に挿入して同第２回転刃の回転軸を貫通する貫通孔を備えた板状体を用いることにより、簡単な構成でありながら一対の第２回転刃間に挟まれた切りくずを容易に排出させることができる。
【手続補正８】
【補正対象書類名】明細書
【補正対象項目名】００２０
【補正方法】変更
【補正の内容】
【００２０】
ガイド部材は、略C字状棒状体の両端部や板状体の端部を、第２回転刃から離間したカード裁断装置における固定部材に固定しておくことができる。
【手続補正９】
【補正対象書類名】明細書
【補正対象項目名】００２５
【補正方法】変更
【補正の内容】
【００２５】
また、本願発明のガイド部材としては、斜め下方に傾斜するガイド面を有してなる構成とすることができる。ガイド部材の形状については、略Ｃ字状の屈曲部を有する延棒状体に構成とすることができる。あるいは、ガイド部材の形状として、一対の第２回転刃間の回転軸を貫通する貫通孔を形成した板状体による構成とすることができる。以下、本発明の好適な実施の形態について添付図面に基づいて具体的に説明する。
【手続補正１０】
【補正対象書類名】明細書
【補正対象項目名】００４５
【補正方法】変更
【補正の内容】
【００４５】
ガイド部材２７としては板状体３０で構成され、一端が図示せぬカード裁断装置本体の固定部に固定され、上縁部（即ち、シートの搬送元から搬送先地点にかけて）は薄刃２４ｂ、２４ｃの周縁よりも回転軸側に位置し、下縁部（即ち、搬送先地点から固定部にかけて）は、薄刃２４ｂ，２４ｃの回転方向から徐々に下方に向かって傾斜するガイド面３０ａが形成されるように、薄刃２４ｂ、２４ｃ間に挿入配置されている。
即ち、板状体３０には、薄刃２４ｂ、２４ｃ間の第２回転軸１８またはボス２６を貫通挿入する貫通孔３０ｂが形成されている。板状体３０の一端部はカード裁断装置Ａ本体の図示せぬ固定部に固定されている。また、板状体３０は、傾斜状の下縁部以外では切りくず３９に当接せず、しかも搬送中のカードと干渉しない形状に配されている。また、板状体３０の薄刃２４ｂ、２４ｃ間に挿入した板状体３０は、切りくず３９が第２回転軸３６側に圧入されるのを防止して、ガイド面２８ａに沿って確実に外部に排出されるように形成されている。
【手続補正１１】
【補正対象書類名】明細書
【補正対象項目名】００４６
【補正方法】変更
【補正の内容】
【００４６】
板状体３０の周縁部の形状は、平面形状または曲面形状等に形成することができ、その材質は、切りくず３９を排出するためにガイドすることができ、薄刃２４ｂ、２４ｃと接触しない強度を有する材質のものであれば、金属、合成樹脂、木材等適宜の材質のものを用いることができる。
【手続補正１２】
【補正対象書類名】明細書
【補正対象項目名】００４９
【補正方法】変更
【補正の内容】
【００４９】
これにより、切りくず３９をガイド面２９ａに沿って確実に外部に排出することができる。また、実施例１の棒状体２８と同様に、円形断面の棒状体や矩形断面の棒状体等を用いることができ、その材質は、切りくず３９を排出するためにガイドすることができ、薄刃２４ｂ、２４ｃと接触しない強度を有する材質のものであれば、金属、合成樹脂、木材等適宜の材質のものを用いることができる。 
【手続補正１３】
【補正対象書類名】明細書
【補正対象項目名】００５０
【補正方法】削除
【補正の内容】
【手続補正１４】
【補正対象書類名】明細書
【補正対象項目名】００５１
【補正方法】削除
【補正の内容】
【手続補正１５】
【補正対象書類名】明細書
【補正対象項目名】００５３
【補正方法】変更
【補正の内容】
【００５３】
【図１】本願発明に係わるカード裁断装置の一例を示した断面図である。（実施例１）
【図２】スリット裁断部の部分拡大図である。（実施例１）
【図３】図２のＩ−Ｉ断面側面図である。（実施例１）
【図４】スリット裁断部の断面側面図である。（実施例２）   
【図６】カード用紙の印刷又は印字形態を示す図である。（実施例１）
【図７】カード用紙の他の印刷又は印字形態を示す図である。（実施例１）
【図８】スリッター部の正面図である。（従来例）
【図９】スリッター部の部分斜視図である。（従来例）
【手続補正１６】
【補正対象書類名】明細書
【補正対象項目名】００５４
【補正方法】変更
【補正の内容】
【００５４】
１ 給紙台
２ カード用紙
３ ピックアップローラ
４ 給紙ローラ
６ 重送防止パッド
７ 第１搬送ローラ
８ 第１搬送加圧ローラ
１１ 横方向裁断部
１１ａ、ｂ 切断刃
１２ 第２搬送ローラ
１２’ 加圧ローラ
１３ 第３搬送ローラ
１３’ 加圧ローラ
１５ スリッター裁断部
１７ 第１回転軸
１８ 第２回転軸
１９ａ、ｂ 歯車
２１ 第１回転刃
２１ａ、ｂ、ｃ 厚刃
２３ ボス
２４ 第２回転刃
２４ａ、ｂ、ｃ、d 薄刃
２６ ボス
２７ ガイド部材 
２９ 棒状体（ガイド部材）
２９ａ ガイド面
３０ 板状体（ガイド部材）
３０ａ ガイド面
３０ｂ 貫通孔
３１ カード部
３２ 排出ローラ
３３ 余白部（横）
３４ 余白部（縦）
３５ 切断線（横）
３６ 切断線（縦）
３７ スプリング
３８ ローラ
３９ 切りくず
４０ スリッター裁断部
４１ 上刃軸
４２ 下刃軸
４３ ディスク状上刃
４４ ディスク状下刃
４５ 切りくず落し片
４６ 切れくず
４７ 山型
Ａ カード裁断装置
Ｓ１〜Ｓ３ 第１〜第３センサ
【手続補正１７】
【補正対象書類名】図面
【補正対象項目名】図１
【補正方法】変更
【補正の内容】
【図１】
2005034962.tif 000001
【手続補正１８】
【補正対象書類名】図面
【補正対象項目名】図３
【補正方法】変更
【補正の内容】
【図３】
2005034962.tif 000002
【手続補正１９】
【補正対象書類名】図面
【補正対象項目名】図５
【補正方法】削除
【補正の内容】